【手続補正書】
【提出日】令和2年12月7日(2020.12.7)
【手続補正１】
【補正対象書類名】特許請求の範囲
【補正対象項目名】全文
【補正方法】変更
【補正の内容】
【特許請求の範囲】
【請求項１】
微生物を不活性化するための発光デバイスであって、
少なくとも２つの発光体を含み、
前記少なくとも２つの発光体のうちの少なくとも１つの第１の発光体は、３８０ナノメートル（ｎｍ）〜４２０ｎｍの範囲内の第１の波長と、少なくとも２０ミリワット（ｍＷ）の放射測定エネルギーと、を有する第１の光を放射するように構成され、
前記少なくとも２つの発光体のうちの少なくとも１つの第２の発光体は、４４０ｎｍ〜４９５ｎｍの範囲内の第２の波長を有する第２の光を放射するように構成され、
前記少なくとも２つの発光体のうちの前記少なくとも１つの第１の発光体は、前記第１の光の直接経路内に存在するように配置される第１の光変換材料であって、
前記第１の光の第１の部分が、第１の光変換材料を変換されずに通過することを可能にし、
前記第１の波長を有する前記第１の光の第２の部分を、前記第１の波長とは異なる第３の波長を有する第３の光に変換するように構成される、第１の光変換材料を含み、
前記少なくとも２つの発光体のうちの前記少なくとも１つの第２の発光体は、前記第２の光の直接経路内に存在するように配置される第２の光変換材料であって、
前記第２の光の第１の部分が、第２の光変換材料を変換されずに通過することを可能にし、
前記第２の波長を有する前記第２の光の第２の部分を、前記第２の波長とは異なる第４の波長を有する第４の光に変換するように構成される、第２の光変換材料を含み、
前記第１の光、前記第２の光、前記第３の光及び前記第４の光は、合成して白色光を形成する、
発光デバイス。
【請求項２】
前記光変換材料が、蛍光体、蛍光増白剤、量子ドット、燐光物質、蛍光色素、蛍光染料、又は導電性ポリマーのうちの１つ又は複数を含む、請求項１に記載の発光デバイス。
【請求項３】
前記白色光は、１０００ケルビン（Ｋ）〜８０００Ｋの範囲内の相関色温度（ＣＣＴ）値を有する、請求項１に記載の発光デバイス。
【請求項４】
前記白色光は、５５〜１００の範囲内の演色評価数（ＣＲＩ）値を有する、請求項１に記載の発光デバイス。
【請求項５】
前記白色光は、３８０ｎｍ〜４２０ｎｍの波長範囲内での測定で、１０％を超えるスペクトルエネルギー比率を有する、請求項１に記載の発光デバイス。
【請求項６】
前記白色光は、３８０ｎｍ〜４２０ｎｍの波長範囲内での測定で、５０％未満のスペクトルエネルギー比率を有する、請求項１に記載の発光デバイス。
【請求項７】
微生物の不活性化の開始が、前記発光デバイスにより放射される前記白色光による照射に基づいて生じる、請求項１に記載の発光デバイス。
【請求項８】
前記少なくとも２つの発光体のうちの１つ又は複数が、発光ダイオード（ＬＥＤ）、有機発光ダイオード（ＯＬＥＤ）、半導体ダイ、又はレーザを含む、請求項１に記載の発光デバイス。
【請求項９】
前記白色光は、４４０ｎｍ〜４９５ｎｍの波長範囲内での測定で、６％以上のスペクトルエネルギー比率を有する、請求項１に記載の発光デバイス。
【請求項１０】
前記第２の光及び前記第４の光は、合成して、国際照明委員会（ＣＩＥ）１９３１色度図に従って、
ｙ＝−２．５７８６２ｘ２＋２．５８７４４ｘ−０．２０９２０１
として定義される境界線より上の座標で定義されるオフホワイト光を形成する、請求項１に記載の発光デバイス。
【請求項１１】
前記第１の光は、前記ＣＩＥ１９３１色度図に従って、
ｙ＝−２．５７８６２ｘ２＋２．５８７４４ｘ−０．２０９２０１
として定義される境界線より下の座標で定義される、請求項１０に記載の発光デバイス。
【請求項１２】
前記白色光は、前記ＣＩＥ１９３１色度図において、米国規格協会（ＡＮＳＩ）Ｃ７８．３７７−２０１７により定義される四角形内の座標で定義される、請求項１に記載の発光デバイス。
【請求項１３】
微生物を不活性化するための方法であって、
少なくとも２つの発光体のうちの少なくとも１つの第１の発光体により、３８０ナノメートル（ｎｍ）〜４２０ｎｍの範囲内の第１の波長と、少なくとも２０ミリワット（ｍＷ）の放射測定エネルギーと、を有する第１の光を放射し、
前記少なくとも２つの発光体のうちの少なくとも１つの第２の発光体により、４４０ｎｍ〜４９５ｎｍの範囲内の第２の波長を有する第２の光を放射し、
前記第１の光の直接経路内に配置される第１の光変換材料に基づいて、前記第１の波長を有する前記第１の光の第１の部分を、前記第１の波長とは異なる第３の波長を有する第３の光に変換し、前記第１の光の第２の部分は、前記第１の光変換材料を変換されずに通過し、
前記第２の光の直接経路内に配置される第２の光変換材料に基づいて、前記第２の波長を有する前記第２の光の第１の部分を、前記第２の波長とは異なる第４の波長を有する第４の光に変換し、前記第２の光の第２の部分は、前記第２の光変換材料を変換されずに通過し、
前記第１の光、前記第２の光、前記第３の光及び前記第４の光に基づいて白色光を形成すること、
を含む方法。
【請求項１４】
前記白色光を形成することは、１０００ケルビン（Ｋ）〜８０００Ｋの範囲内の相関色温度（ＣＣＴ）値を有する白色光を形成することを含む、請求項１３に記載の方法。
【請求項１５】
前記白色光を形成することは、５５〜１００の範囲内の演色評価数（ＣＲＩ）値を有する白色光を形成することを含む、請求項１３に記載の方法。
【請求項１６】
前記白色光を形成することは、４４０ｎｍ〜４９５ｎｍの波長範囲内での測定で、６％以上のスペクトルエネルギー比率を有する白色光を形成することを含む、請求項１３に記載の方法。
【請求項１７】
前記第２の光及び前記第４の光に基づき、国際照明委員会（ＣＩＥ）１９３１色度図に従って、
ｙ＝−２．５７８６２ｘ２＋２．５８７４４ｘ−０．２０９２０１
として定義される境界線より上の座標で定義されるオフホワイト光を形成することをさらに含む、請求項１３に記載の方法。
【請求項１８】
前記第１の光は、前記ＣＩＥ１９３１色度図に従って、
ｙ＝−２．５７８６２ｘ２＋２．５８７４４ｘ−０．２０９２０１
として定義される境界線より下の座標で定義される、請求項１３に記載の方法。
【請求項１９】
前記白色光を形成することは、前記ＣＩＥ１９３１色度図において、米国規格協会（ＡＮＳＩ）Ｃ７８．３７７−２０１７により定義される四角形内の座標で定義される白色光を形成することを含む、請求項１３に記載の方法。
【請求項２０】
前記白色光を形成することは、３８０ｎｍ〜４２０ｎｍの波長範囲内での測定で、１０％を超えるスペクトルエネルギー比率を有する白色光を形成することを含む、請求項１３に記載の方法。
【請求項２１】
前記白色光を形成することは、３８０〜４２０ｎｍの波長範囲内での測定で、５０％未満のスペクトルエネルギー比率を有する白色光を形成することを含む、請求項１３に記載の方法。
【請求項２２】
前記白色光を介する照明に基づいて、微生物の不活性化を初期化することをさらに含む、請求項１３に記載の方法。
【請求項２３】
前記少なくとも２つの発光体のうちの１つ又は複数が、発光ダイオード（ＬＥＤ）、有機発光ダイオード（ＯＬＥＤ）、半導体ダイ、又はレーザを含む、請求項１３に記載の方法。
【手続補正２】
【補正対象書類名】明細書
【補正対象項目名】００２０
【補正方法】変更
【補正の内容】
【００２０】
本開示の第１の態様において、発光デバイスは、少なくとも２つの発光体、たとえば少なくとも２つの半導体ダイ、を含み、少なくとも１つの半導体ダイは、３８０〜４２０ナノメートルの範囲内の紫色光を放射し、かつ光変換材料によって覆われず、この紫色波長がそのまま放射されることを可能にし、一方で他の少なくとも１つの半導体ダイは、４４０〜４９５ナノメートルの範囲内の青色光を放射し、かつ少なくとも１つの光変換材料で覆われる。光変換材料を通過する青色光は、オフホワイトの出射光を生成し、この出射光は、覆いのない半導体ダイから放射される紫色光と合成されて高品質の消毒用白色光を生成する。オフホワイトの出射光は、特定比率の紫色光と混合されると確実に高品質の白色光が生成されるように選択される光変換材料の組合せを用いて、慎重に設計される。座標が国際照明委員会（ＣＩＥ）１９３１色度図の黒体曲線（後述する図７参照）より下に存在する紫色光と合成されて、黒体曲線上に含まれるか、又は、変化する色温度における白色光の座標範囲を定義する（たとえば、ＡＮＳＩ  Ｃ７８．３７７−２０１７が規定する）ＡＮＳＩ四角形の内部に含まれる白色光を形成するためには、オフホワイト光の座標は、ＣＩＥ１９３１色度図の黒体曲線より上にあるべきである。言い替えれば、オフホワイトの出射光座標は、ＣＩＥ１９３１色度図において、
ｙ＝−２．５７８６２ｘ２＋２．５８７４４ｘ−０．２０９２０１
として定義される境界線より上であるべきである。さらに、オフホワイト光は、光変換材料を含まない少なくとも１つの発光体から放射され、かつ３８０ｎｍ〜４２０ｎｍの範囲内の光と合成される。３８０〜４２０ｎｍの範囲内で放射される光は、ＣＩＥ１９３１色度図において、
ｙ＝−２．５７８６２ｘ２＋２．５８７４４ｘ−０．２０９２０１
として定義される境界線より下の座標で定義される。
先に述べたように、白色光は、ＣＩＥ１９３１色度図において、ＡＮＳＩ  Ｃ７８．３７７−２０１７により定義される四角形のうちの１つの内部の座標で定義される。図７を参照されたい。
【手続補正３】
【補正対象書類名】明細書
【補正対象項目名】００３６
【補正方法】変更
【補正の内容】
【００３６】
本開示の第３の態様の一実施形態において、図４は、２つの発光体４０２ａ、４０２ｂを含む発光デバイス４００を示す。少なくとも１つの第１の発光体４０２ａは、５６０〜１４００ナノメートル（ｎｍ）の範囲内の波長を有する光を放射するように構成される。第１の発光体４０２ａは、第１の発光体４０２ａから放射される光の直接経路内に、放射される光の波長を３８０〜４２０ｎｍの範囲内の波長に変換するように配置されるアップコンバートのナノ粒子層４０４ａ（たとえば、適切であれば量子ドット又は他のタイプのアップコンバートナノ粒子（ＵＣＮＰ））を含む。少なくとも１つの第２の発光体４０２ｂは、４４０ｎｍ〜４９５ｎｍの範囲内の波長を有する光を放射するように構成される。第２の発光体４０２ｂは、第２の発光体４０２ｂから放射される光の直接経路内に存在するように配置される少なくとも１つの光変換材料４０４ｂを含む。各光変換材料４０４ｂは、少なくとも１つの第２の発光体４０２ｂから放射される光の波長を、それとは異なる波長に変換するように配置される。少なくとも１つの第１及び第２の発光体４０２ａ、４０２ｂからの光は、合成されて白色光を形成する。図４には、２つの発光体４０２ａ、４０２ｂしか示されていないが、発光デバイス４００には、３つ、４つ、５つ、その他の数の各タイプの発光体が存在してもよい。発光デバイス４００における任意の数の発光体４０２ａがＵＣＮＰ層４０４ａを含んでいてよく、かつ発光デバイス４００における任意の数の第２の発光体４０２ｂが光変換材料４０４ｂを含んでいてもよい。